(57)【要約】  冷却デバイスであって、それを用いることにより大量の熱を効率的に放散することができる、媒体を冷却するための該冷却デバイスを作り出すために、冷却デバイスが、水を蒸発させるための蒸発デバイスと、蒸発デバイスの蒸発チャンバ内に負圧を生成するための真空デバイスと、蒸発デバイスの蒸発チャンバに流体的に接続されかつ蒸発した水を吸収するための吸収媒体で少なくとも部分的に満たされるチャージング・チャンバを含む、チャージング・デバイスと、排出デバイスであって、それを用いることにより吸収媒体に吸収された水を吸収媒体から除去して冷却デバイスの周囲に放出することができる該排出デバイスと、を備えることが提案される。【選択図】なし
2016532844.tif 000002
【特許請求の範囲】
【請求項１】
媒体を冷却するための冷却装置（１００）であって、
−  水を蒸発させるための蒸発装置（１０４）と、
−  前記蒸発装置（１０４）の蒸発室（１１２）内に準大気圧を生成するための真空装置（１０８）と、
−  前記蒸発装置（１０４）の前記蒸発室（１１２）に流体的に接続されかつ前記蒸発した水を吸収するための吸収媒体で少なくとも部分的に満たされる含水室（１１６）を含む含水装置（１１４）と、
−  除水装置（１２２）であって、それを用いることにより前記吸収媒体に吸収された前記水を前記吸収媒体から除去して前記冷却装置（１００）の周囲（１３４）に放出することができる、該除水装置（１２２）と
を備える、冷却装置（１００）。
【請求項２】
前記除水装置（１２２）が、前記吸収媒体に吸収された前記水が前記吸収媒体から除去され得る除水室（１２０）を含み、前記除水室（１２０）が、前記含水装置（１１４）の前記含水室（１１６）から空間的に分離されていることを特徴とする、請求項１に記載の冷却装置（１００）。
【請求項３】
前記除水室（１２０）が、前記冷却装置（１００）の冷却動作中に前記含水室（１１６）よりも高い圧力を有することを特徴とする、請求項２に記載の冷却装置（１００）。
【請求項４】
前記吸収媒体を前記含水室（１１６）から前記除水室（１２０）に、かつ／または前記除水室（１２０）から前記含水室（１１６）に移送するための移送装置（１１８）を備えることを特徴とする、請求項２または３に記載の冷却装置（１００）。
【請求項５】
少なくとも１つの堰デバイス（１２６）を備え、前記吸収媒体が、前記少なくとも１つの堰デバイス（１２６）を通じて、前記蒸発室（１１２）および／または前記含水室（１１６）が配置される前記冷却装置（１００）の準大気圧側（１１０）から、前記除水室（１２０）が配置される前記冷却装置（１００）の高圧側（１２８）に移送され得ることを特徴とする、請求項４に記載の冷却装置（１００）。
【請求項６】
少なくとも１つの堰デバイス（１２６）を備え、前記吸収媒体が、前記少なくとも１つの堰デバイス（１２６）を通じて、前記除水室（１２０）が配置される前記冷却装置（１００）の高圧側（１２８）から、前記蒸発室（１１２）および／または前記含水室（１１６）が配置される前記冷却装置（１００）の準大気圧側（１１０）に移送され得ることを特徴とする、請求項４または５に記載の冷却装置（１００）。
【請求項７】
閉じた回路（１４４）内で前記吸収媒体を移送するための移送装置（１１８）を備えることを特徴とする、請求項２から６のいずれか一項に記載の冷却装置（１００）。
【請求項８】
前記蒸発装置（１０４）に液体水を供給するための給水装置（１０６）を備えることを特徴とする、請求項１から７のいずれか一項に記載の冷却装置（１００）。
【請求項９】
少なくとも１つの熱交換器（１０２）であって、それを用いることにより冷却すべき媒体から前記蒸発装置（１０４）に、具体的には前記蒸発装置（１０４）内で蒸発される前記水に熱を伝達することができる該少なくとも１つの熱交換器（１０２）を備えることを特徴とする、請求項１から８のいずれか一項に記載の冷却装置（１００）。
【請求項１０】
前記吸収媒体が、塩、塩類水溶液、シリカ・ゲル、鉱物、水酸化物、イオン液体、および／もしくはゼオライトを含むか、または、塩、塩類水溶液、シリカ・ゲル、鉱物、水酸化物、イオン液体、および／もしくはゼオライトによって形成されることを特徴とする、請求項１から９のいずれか一項に記載の冷却装置（１００）。
【請求項１１】
前記蒸発装置（１０４）に供給される前記水を脱気するための少なくとも１つの脱気装置（１３８）、および／または含水される前記吸収媒体を脱気するための少なくとも１つの脱気装置（１３８）を備えることを特徴とする、請求項１から１０のいずれか一項に記載の冷却装置（１００）。
【請求項１２】
前記蒸発装置（１０４）の前記蒸発室（１１２）内に前記準大気圧を生成するための前記真空装置（１０８）が、前記吸収媒体を移送するための移送デバイス（１１８）によって形成されることを特徴とする、請求項１から１１のいずれか一項に記載の冷却装置（１００）。
【請求項１３】
少なくとも１つの熱交換器（１３０）であって、それを用いることにより外部熱源（１３２）から除水室（１２０）内に配置された前記吸収媒体に熱を伝達することができる該少なくとも１つの熱交換器（１３０）を備えることを特徴とする、請求項１から１２のいずれか一項に記載の冷却装置（１００）。
【請求項１４】
冷却装置（１００）を用いて媒体を冷却するための方法であって、
−  蒸発装置（１０４）の蒸発室（１１２）に準大気圧を加えることと、
−  前記蒸発室（１１２）に液体水を導入することと、
−  前記蒸発室（１１２）において前記水を蒸発させることと、
−  前記蒸発した水を、前記蒸発室（１１２）から、前記蒸発室（１１２）に流体的に接続されかつ前記蒸発した水を吸収するための吸収媒体で少なくとも部分的に満たされる含水装置（１１４）の含水室（１１６）に導入することと、
−  前記吸収媒体により前記蒸発した水を吸収することと、
−  前記吸収媒体に吸収された前記水を前記吸収媒体から除去して、前記水を前記冷却装置（１００）の周囲（１３４）に放出することと
を含む方法。
【請求項１５】
前記吸収媒体が、前記水の吸収の後、前記含水室（１１６）から放出されて、前記冷却装置（１００）の除水装置（１２２）の除水室（１２０）に導入されることを特徴とする、請求項１４に記載の方法。
【請求項１６】
前記吸収媒体に吸収された前記水を前記吸収媒体から除去するために、前記吸収媒体が、前記媒体が冷却される前に、前記冷却装置（１００）によって冷却される前記媒体の温度を上回る温度に加熱されることを特徴とする、請求項１４または１５に記載の方法。
【請求項１７】
前記吸収媒体が、前記吸収媒体に吸収された前記水を前記吸収媒体から除去した後、および／または前記含水室（１１６）に前記吸収媒体を導入する前に冷却されることを特徴とする、請求項１４から１６のいずれか一項に記載の方法。
【発明の詳細な説明】
【技術分野】
【０００１】
本発明は、媒体を冷却するための冷却装置に関する。
【背景技術】
【０００２】
そのような冷却装置は、具体的には、製造工程で生じる熱を効率的に周囲へと除去するために、製造プラントで使用される。例えば、冷却装置が冷却を行うために製造プラントに隣接した河川からの河川水を使用することを想定することができる。特に夏は冷却が非常に必要とされるが、通常、法律上の要件により、少量の熱だけを河川水に伝達できるにすぎない。このことは、生産技術および経済上の困難をもたらし得る。
【発明の概要】
【発明が解決しようとする課題】
【０００３】
本発明の目的は、冷却装置であって、それを用いることにより大量の熱を効率的に除去することができる該冷却装置を提供することである。
【課題を解決するための手段】
【０００４】
この目的は、本発明によれば、
水を蒸発させるための蒸発装置と、
蒸発装置の蒸発室内に準大気圧を生成するための真空装置と、
蒸発装置の蒸発室に流体的に接続されかつ蒸発した水を吸収するための吸収媒体で少なくとも部分的に満たされる含水室を含む含水装置と、
除水装置であって、それを用いることにより吸収媒体に吸収された水を吸収媒体から除去して冷却装置の周囲に放出することができる該除水装置と
を備える、媒体を冷却するための冷却装置によって達成される。
【０００５】
本発明において、吸収媒体による水の吸収は、具体的には、水と吸収媒体との物理的および／または化学的な反応である。反応は、具体的には、可逆性である。例えば、水が吸収媒体によって吸収され、取り込まれ、吸着され、かつ／または吸収媒体に取り入れられることを想定することができる。
【０００６】
吸収媒体は、熱化学的蓄積成分であって、それを用いることにより熱を提供するためだけではなく冷却要件をカバーおよび／または緩和するために余剰熱を利用することができる、該熱化学的蓄積成分であることが好ましい。
【０００７】
冷却装置は、冷却水が温度上昇をもたらすことだけではなく蒸発作用によっても感知できるほどに利用される、開放冷却回路を備えることが好ましい。そうすることで、同一の冷却要件において、必要な冷却水の量は、好ましくは、例えば６０分の１まで大幅に減少され得る。
【０００８】
吸収媒体による水の吸収および／または放出の際、熱が放出されることまたは熱が吸収されることが望まれる。したがって、水の吸収は、発熱性または吸熱性であることが好ましい。それに応じて、水の放出は、吸熱性または発熱性であることが好ましい。
【０００９】
除水装置が、吸収媒体に吸収された水が吸収媒体から除去され得る除水室を含み、除水室が好ましくは含水装置の含水室から空間的に分離されていることが、有利であり得る。
【００１０】
除水室が、冷却装置の冷却動作中に含水室よりも高い圧力を有することが、有利であり得る。
【００１１】
除水室は、冷却装置の周囲に流体的に接続されることが好ましい。除水室は、少なくともほぼ周囲の圧力、具体的には大気圧を有することが好ましい。
【００１２】
吸収媒体は、吸収媒体から水を除去するために、除水室内で無負荷の高温空気に直接接触することが好ましい。次いで、無負荷の高温空気は、吸収媒体から除去された水を冷却装置の周囲に運ぶことが好ましい。
【００１３】
無負荷の高温空気と吸収媒体との直接接触の代わりに、間接的な熱伝達を提供することも可能である。その場合、吸収媒体から除去された水は、水を周囲に放出するために例えば弁によって開放され得る室内に、蒸気の形態で集まることが好ましい。
【００１４】
冷却装置が、吸収媒体を含水室から除水室に移送するための移送装置を備えることが、有利であり得る。
【００１５】
代替形態として、またはさらに、冷却装置は、吸収媒体を除水室から含水室に移送するための移送装置を備えることができる。
【００１６】
具体的には、移送装置であって、それを用いることにより吸収媒体を含水室から除水室に、また除水室から含水室に移送することができる該移送装置を冷却装置が備えることを想定することができる。
【００１７】
少なくとも１つの堰デバイスであって、それを通じて吸収媒体を蒸発室および／または含水室が配置される冷却装置の準大気圧側から除水室が配置される冷却装置の高圧側に移送することができる該少なくとも１つの堰デバイスを冷却装置が備えることを想定することができる。
【００１８】
この説明および添付の特許請求の範囲において、準大気圧とは、具体的には、雰囲気圧／大気圧よりも低い圧力、例えば約５００ｍｂａｒ以下、具体的には約１００ｍｂａｒ以下、好ましくは約５０ｍｂａｒ以下の圧力である。
【００１９】
この説明および添付の特許請求の範囲において、「高圧」という用語は、具体的には、雰囲気圧および／または大気圧に本質的に相当するかまたはそれを上回る圧力を意味する。
【００２０】
本発明の１つの実施形態では、冷却装置は、少なくとも１つの堰デバイスであって、それを通じて吸収媒体を除水室が配置される冷却装置の高圧側から蒸発室および／または含水室が配置される冷却装置の準大気圧側に移送することができる、該少なくとも１つの堰デバイスを備え得る。
【００２１】
具体的には、冷却装置は、閉じた回路内で吸収媒体を移送するための移送装置を備えることができる。この場合、吸収媒体は、好ましくは、含水室から除水室に移送されたり、具体的には別個の経路に沿って、含水室等に戻されたりなどし得る。
【００２２】
冷却装置が、蒸発装置に液体水を供給するための給水装置を備えることが、有利であり得る。
【００２３】
冷却装置は、少なくとも１つの熱交換器であって、それを用いることにより冷却すべき媒体から蒸発装置に、具体的には蒸発装置内で蒸発される水に熱を伝達することができる該少なくとも１つの熱交換器を備えることが好ましい。
【００２４】
吸収媒体は、液体または固体であることが好ましい。具体的には、吸収媒体が自由流動性であることを想定することができる。吸収媒体は、例えば、バルク材および／または粉末であってもよい。
【００２５】
本発明の１つの実施形態では、吸収媒体は、塩、塩類水溶液、シリカ・ゲル、鉱物、水酸化物、イオン液体、および／もしくはゼオライトを含み得るか、または、塩、塩類水溶液、シリカ・ゲル、鉱物、水酸化物、イオン液体、および／もしくはゼオライトによって形成され得る。
【００２６】
冷却装置が、蒸発装置に供給される水を脱気するための少なくとも１つの脱気装置、および／または含水される吸収媒体を脱気するための少なくとも１つの脱気装置を備えることが、有利であり得る。
【００２７】
蒸発装置の蒸発室内に準大気圧を生成するための真空装置は、例えば、吸収媒体を移送するための移送装置によって形成され得る。
【００２８】
冷却装置は、少なくとも１つの熱交換器であって、それを用いることにより外部熱源から除水室内に配置された吸収媒体に熱を伝達することができる該少なくとも１つの熱交換器を備えることが好ましい。
【００２９】
冷却装置、具体的には除水装置は、具体的には、フラッシング媒体により除水室をフラッシングするための少なくとも１つのフラッシング装置を備える。フラッシング媒体は、例えば、除水装置の除水室を通過させることができる乾燥高温空気である。
【００３０】
吸収媒体は、好ましくは、フラッシング媒体により、かつ／または外部熱源により除水室内で加熱されることが好ましく、その結果、吸収媒体から水が除去されることが好ましい。水は、具体的には、気体または蒸気の形態で放出されて、フラッシング媒体により除水室から除去される。
【００３１】
本発明の冷却装置は、媒体を冷却するための方法を実行するのに特に適している。
【００３２】
したがって、本発明は、冷却装置を用いて媒体を冷却するための方法も提供する。
【００３３】
この点において、本発明は、媒体を効率的に冷却することができかつ非常に少量の冷却媒体、具体的には水を使用する方法を提供するという目的を有する。
【００３４】
この目的は、本発明によれば、冷却装置を用いて媒体を冷却するための方法によって達成され、この方法は、
蒸発装置の蒸発室に準大気圧を加えることと、
蒸発室に液体水を導入することと、
蒸発室において水を蒸発させることと、
蒸発した水を、蒸発室から、蒸発室に流体的に接続されかつ蒸発した水を吸収するための吸収媒体で少なくとも部分的に満たされる含水装置の含水室に導入することと、
吸収媒体により蒸発した水を吸収することと、
吸収媒体に吸収された水を吸収媒体から除去して、その水を冷却装置の周囲に放出することと、を含む。
【００３５】
本発明による方法は、好ましくは、本発明の冷却装置に関連して説明された特徴および／または利点のうちの１つもしくは複数を有する。
【００３６】
さらに、本発明の冷却装置は、好ましくは、本発明による方法の個々の特徴および／もしくは利点または複数の特徴および／もしくは利点を有する。
【００３７】
周囲への水の放出は、好ましくは、気体または蒸気の形態で行われる。
【００３８】
吸収媒体が、水の吸収の後で含水室から取り出されて、冷却装置の除水装置の除水室に導入されることが、有利であり得る。
【００３９】
吸収媒体に吸収された水を吸収媒体から除去するために、吸収媒体は、媒体の冷却の前に、冷却装置によって冷却される媒体の温度を上回る温度に加熱されることが好ましい。
【００４０】
蒸発装置に導入される水は、約２５℃以下、具体的には約２０℃以下、例えば約１５℃以下の温度を有することが好ましい。
【００４１】
吸収媒体から水を除去するために、吸収媒体は、少なくとも約８０℃、例えば少なくとも約９０℃、好ましくは少なくとも約１００℃の温度に加熱されることが好ましい。
【００４２】
吸収媒体が、吸収媒体に吸収された水を吸収媒体から除去した後、および／または含水室に吸収媒体を導入する前に冷却されることが、有利であり得る。
【００４３】
さらに、本発明の冷却装置、および／または本発明による方法は、下記の特徴および／または利点のうちの１つもしくは複数を有することができる。
【００４４】
水は、好ましくは、冷却装置により準大気圧下で、例えば約１０℃で蒸発され得る。
【００４５】
冷却装置の主たる冷却効果は、準大気圧下での水の蒸発によって得られることが好ましい。
【００４６】
吸収媒体（反応媒体）は、具体的には循環されるが、部分的には準大気圧下で搬送され、また部分的には雰囲気圧（高圧）下で搬送されることが好ましい。
【００４７】
本発明の冷却装置は、具体的には、別の方法での冷却が実質的に利用できないとき、例えば従来の熱ポンプが故障したときに、利用することができる。
【００４８】
具体的には、吸収媒体が循環され、かつ、例えば含水室に導入される前に冷却される場合に、冷却装置の連続運転が可能とされ得る。
【００４９】
冷却のために使用される冷却水は、単に知覚できるほどに加熱されるだけでなく、蒸発することが好ましい。従来の慣例的な１０Ｋ分の加熱では、取り込むことができる熱量は、約４１ｋＪ／ｋｇである。一方で、蒸発作用によって取り込むことができる熱量は、約２５０３ｋＪ／ｋｇである。したがって本発明によれば、使用される水の冷却ポテンシャルは、約６０倍に増加され得る。したがって、必要冷却水量は、所与の冷却力において大幅に減少する。
【００５０】
好ましくは、冷却水は、好ましくは気体または蒸気の形態で周囲に放出されるので、熱が取り込まれた後で河川に戻される必要はない。
【００５１】
吸収媒体は、具体的には吸収媒体を除水するために廃熱が利用される時点を、具体的には吸収媒体の含水中の冷却機能が行われる時点から分離できることが好ましい。
【００５２】
具体的には、吸収媒体が移送され得るときに、具体的には必要とされる冷却力（蒸発器出力）に最適化された、安価な反応器（含水室）を使用することができる。吸収媒体を収容するための大型貯蔵装置を不要にできることが好ましい。
【００５３】
吸収媒体を除水するために、例えば約１００℃の温度レベルで、工場廃熱を使用することが優先される。
【００５４】
吸収媒体は、水に対する高い親和性を有することが好ましい。具体的には、吸収媒体は、強吸湿性であることが好ましい。
【００５５】
水は、液体の形態で冷却装置に導入されて、気体および／または蒸気の形態で冷却装置から周囲に放出されることが好ましい。
【００５６】
本発明の冷却装置は、工業プロセスを冷却すること、所定の冷却力を提供すること、および／または既存の冷却装置を補足してピーク負荷をカバーすることに特に適している。
【００５７】
本発明のさらなる好ましい特徴および／または利点が、以下の説明および実施例の図で示される。
【図面の簡単な説明】
【００５８】
【図１】液体水が準大気圧下で蒸発されて蒸気および／または気体の形態で冷却装置の周囲に放出される冷却装置の概略図である。
【発明を実施するための形態】
【００５９】
同一のまたは機能的に同等の要素は、図面において同じ参照番号で示されている。
【００６０】
図１に示されかつ全体として１００で示されている冷却装置が、具体的には媒体を冷却する働きをし、この媒体は、例えば熱交換器１０２に供給される。
【００６１】
冷却装置１００は、水を蒸発させるための蒸発装置１０４と、給水装置１０６であって、それを用いることにより液体水を蒸発装置１０４に導入することができる該給水装置１０６とを備える。
【００６２】
さらに、冷却装置１００は、真空装置１０８であって、それを用いることにより冷却装置１００の準大気圧側１１０に準大気圧を加えることができる該真空装置１０８を備える。
【００６３】
具体的には、準大気圧、すなわち雰囲気圧または大気圧よりも低い圧力、例えば約１００ｍｂａｒの圧力は、真空装置１０８により蒸発装置１０４の蒸発室１１２内に生成され得る。
【００６４】
蒸発室１１２内の準大気圧により、蒸発装置１０４、具体的には蒸発室１１２に供給された液体水は、比較的低い温度でも蒸発され得る。
【００６５】
冷却装置１００は、含水室１１６を含む含水装置１１４をさらに備える。
【００６６】
含水室１１６は、少なくとも部分的に吸収媒体で満たされる。蒸発した水は、具体的には、吸収媒体に吸収され得る。
【００６７】
この目的のために、含水室１１６および蒸発室１１２は、蒸発室１１２内で蒸発された水が含水室１１６に入ることができるように、互いに流体的に接続される。
【００６８】
吸収媒体は、水の吸収の後、含水室１１６から放出されて、冷却装置１００の１つまたは２つの移送装置１１８により除水装置１２２の除水室１２０に導入され得る。
【００６９】
具体的には、水は、除水装置１２２により、吸収媒体から除去され得る。
【００７０】
移送方向１２４において含水室１１６の下流に配置された移送装置１１８が、好ましくは、堰デバイス１２６であって、それを用いることにより最初は冷却装置１００の準大気圧側１１０、すなわち準大気圧領域に存在する吸収媒体が、冷却装置１００の高圧側１２８、すなわち少なくともほぼ雰囲気圧の側に移送され得る、該堰デバイス１２６を形成する。
【００７１】
除水装置１２２は、例えば、除水装置１２２の除水室１２０内に雰囲気圧が行き渡るように、また、吸収媒体に吸収された水が雰囲気圧において吸収媒体から除去され得るように、冷却装置１００のこの高圧側１２８に配置される。
【００７２】
除水装置１２２の除水室１２０は、冷却装置１００の熱交換器１３０に結合される。
【００７３】
熱交換器１３０により、外部熱源１３２からの熱が、除水室１２０内に位置する吸収媒体に伝達され得る。
【００７４】
吸収媒体は、具体的には、例えば約１００℃までの高温に加熱され得る。
【００７５】
除水室１２０は、吸収媒体から放出された水が周囲１３４に流出し得るように、冷却装置１００の周囲１３４に開放している。
【００７６】
冷却装置１００は、フラッシング装置１３６であって、それを用いることによりフラッシング媒体、例えば乾燥高温空気を除水室１２０に導入することができる該フラッシング装置１３６をさらに備える。
【００７７】
したがって、除水室１２０およびその中に存在する吸収媒体は、まず吸収媒体を加熱し、次に吸収媒体から生じた水を除水室１２０から排出し、最終的にその水を周囲１３４に放出するために、フラッシング装置１３６により非常に簡単にフラッシングされ得る。
【００７８】
冷却装置１００の機能を最適化するために、冷却装置１００の１つまたは複数の脱気装置１３８がさらに設けられる。具体的には、蒸発装置１０４に供給される液体水は、これらの脱気装置１３８によって脱気され得る。さらに、含水室１１６に導入される吸収媒体は、脱気装置１３８によって脱気され得る。
【００７９】
冷却装置１００の高圧側１２８から準大気圧側１１０への遷移は、具体的には、冷却装置１００の絞り弁１４０によって実現され得る。
【００８０】
具体的には、準大気圧側１１０に加わる所望の準大気圧、具体的には蒸発室１１２内および／または含水室１１６内の所望の準大気圧は、絞り弁１４０により、目標とされた態様で得られ得る。
【００８１】
最後に、含水装置１１４は、抜取り装置１４２を追加的に含むことが好ましい。冷却装置１００の動作中に含水室１１６内に蓄積するガス、具体的には不活性ガスが、好ましくは、抜取り装置１４２により含水室１１６から排出され得る。
【００８２】
冷却装置１００では、閉じた吸収媒体回路１４４が最初に形成される。吸収媒体回路１４４は、含水室１１６、移送装置１１８、除水室１２０、脱気装置１３８、絞り弁１４０、およびさらなる移送装置１１８を含む。
【００８３】
したがって、吸収媒体回路１４４では、吸収媒体は、含水室１１６から堰デバイス１２６を通じて除水室１２０内に供給され得る。その後、除水された媒体は、除水室１２０から脱気装置１３８および絞り弁１４０を通り、さらに堰デバイス１２６を通じて含水室１１６内に送り返され得る。
【００８４】
冷却装置１００は、水移送セクション１４６をさらに備える。
【００８５】
水移送セクション１４６は、絞り弁１４０、給水装置１０６、脱気装置１３８、蒸発室１１２、含水室１１６、移送装置１１８、除水室１２０、および、最後に周囲１３４を含む。
【００８６】
水移送セクション１４６により、最初は液体の水は、まず絞り弁１４０を通じてまた給水装置１０６を介して蒸発室１１２内に供給されて、蒸発室１１２内で蒸発され得る。蒸発した水は、含水室１１６内に供給されて、そこで吸収媒体に吸収され得る。
【００８７】
吸収された水は、吸収媒体と一緒に、移送装置１１８を介して、したがって堰デバイス１２６を通じて、除水室１２０内に供給され、そこで吸収媒体から除去されて、最終的に、具体的にはフラッシング媒体と一緒に、周囲１３４に放出され得る。
【００８８】
したがって、水移送セクション１４６は、閉じられていない。むしろ、最初は液体の水は、冷却装置１００に供給されて、気体または蒸気の形態で周囲１３４に放出され得る。
【００８９】
上記の冷却装置１００は、以下の通りに機能する：
冷却装置１００によって冷却される媒体が、蒸発装置１０４に熱的に結合された熱交換器１０２に供給される。
【００９０】
冷却すべき媒体から熱を奪うために、蒸発装置１０４において水が蒸発される。
【００９１】
最初は液体の水は、この目的のために、絞り弁１４０を通じて、また給水装置１０６を介して、蒸発室１１２内に搬送される。
【００９２】
水が非常に低い温度でも蒸発してそれにより熱を取り込むように、蒸発室１１２内に準大気圧が行き渡ることが好ましい。
【００９３】
具体的には、蒸発する水は、冷却すべき媒体から熱を奪う。
【００９４】
今や蒸気または気体の形態で存在する水は、次に含水室１１６に入り、そこで強吸湿性の吸収媒体と接触して、吸収媒体に吸収される。
【００９５】
吸収媒体は、具体的には、塩または塩類水溶液である。
【００９６】
水を含んだ吸収媒体は、続いて、含水室１１６から排出される。具体的には、水を含んだ吸収媒体は、移送装置１１８により含水室１１６から取り出されて、冷却装置１００の除水室１２０に供給される。
【００９７】
ここで、吸収媒体は、堰デバイス１２６を通過し、したがって、冷却装置の準大気圧側１１０から冷却装置１００の高圧側１２８に搬送される。
【００９８】
具体的には、雰囲気圧、例えば大気圧が、この高圧側１２８に行き渡る。
【００９９】
水を含んだ吸収媒体は、除水室１２０において、吸収媒体に吸収された水を吸収媒体から除去するために、熱の導入によって加熱される。
【０１００】
目下行き渡っている比較的高い圧力、すなわち雰囲気圧により、水を気体または蒸気の形態で吸収媒体から除去して最終的に冷却装置１００の周囲１３４に放出するために、例えば約１００℃の比較的高い温度が必要とされる。
【０１０１】
この高温は、具体的には、外部熱源１３２からの熱を吸収媒体に伝達することによって、および／またはフラッシング装置１３６を使用して除水室１２０内に乾燥高温空気を導入することによって得られる。
【０１０２】
吸収媒体から水が少なくとも部分的に除去された後、吸収媒体は水の吸収に再利用され得る。
【０１０３】
この目的のために、吸収媒体は、具体的には、さらなる絞り弁１４０およびさらなる堰デバイス１２６を通じて、含水室１１６に送り返される。
【０１０４】
除水室１２０内で加熱された吸収媒体の温度を下げ、したがって冷却装置１００の効率を高めるために、吸収媒体は、含水室１１６に導入される前に冷却デバイス（図示せず）によって冷却され得る。
【０１０５】
それゆえ、吸収媒体は、具体的には、連続的な回路すなわち吸収媒体回路１４４内で搬送されることが可能である。
【０１０６】
それゆえ、冷却装置１００は、具体的には、連続的に動作され得る。
【０１０７】
したがって、冷却装置１００を全体的に見ると、冷却すべき媒体を冷却するために液体水が蒸発されることが分かる。
【０１０８】
従来の蒸発プラントにおける温度レベルとは異なり、冷却すべき媒体は、例えば約１０℃から約１５℃の非常に低い温度に冷却され得る。そのために必要とされる水の量は、水の蒸発作用のために、非常に少量である。それに加えて、水の蒸発作用のために、水源への温水の再循環が回避され得る。
【符号の説明】
【０１０９】
１００  冷却装置
１０２  熱交換器
１０４  蒸発装置
１０６  給水装置
１０８  真空装置
１１０  準大気圧側
１１２  蒸発室
１１４  含水装置
１１６  含水室
１１８  移送装置
１２０  除水室
１２２  除水装置
１２４  移送方向
１２６  堰デバイス
１２８  高圧側
１３０  熱交換器
１３２  外部熱源
１３４  周囲
１３６  フラッシング装置
１３８  脱気装置
１４０  絞り弁
１４２  抜取り装置
１４４  吸収媒体回路
１４６  水移送セクション
【図１】
2016532844.tif 000003
【国際調査報告】
2016532844.tif 000004
2016532844.tif 000005
2016532844.tif 000006
2016532844.tif 000007